(57)【要約】【課題】ユーザによる面倒な操作を必要とせずに、撮影時の環境に応じた最適な撮影条件を簡単に得る。【解決手段】情報発信装置１により、この情報発信装置１に取り付けられた撮影対象物４に関わる環境情報（温度、湿度、光量）を測定し、この環境情報のデータを中継装置２に送信する。中継装置２は、情報発信装置１から送信された環境情報のデータに基づいて、撮影対象物４の適切な撮影条件を計算し、この撮影条件のデータをデジタルカメラ３に送信する。デジタルカメラ３では、中継装置２から送信された撮影条件をモニタ表示する。【選択図】      図１
2005227492.tif 000002
【特許請求の範囲】
【請求項１】
撮影対象物に対して設けられた情報発信装置およびこの情報発信装置から送信された情報を中継装置を介して受信するカメラ装置からなる撮影システムであって、
前記情報発信装置は、
前記撮影対象物に関わる環境情報を測定する測定手段と、
この測定手段により測定された環境情報を送信する送信手段とを具備し、
前記中継装置は、
前記情報発信装置の送信手段により送信された環境情報を受信して、前記撮影対象物の適切な撮影条件を計算する計算手段と、
この計算手段により計算された撮影条件の情報を前記カメラ装置に送信する送信手段とを具備し、
前記カメラ装置は、
前記中継装置の送信手段により送信された撮影条件の情報を受信して、これを表示する表示手段を具備したことを特徴とする撮影システム。
【請求項２】
撮影対象物に対して設けられた情報発信装置およびこの情報発信装置から送信された情報を受信するカメラ装置からなる撮影システムであって
前記情報発信装置は、
前記撮影対象物に関わる環境情報を測定する測定手段と、
この測定手段により測定された環境情報を前記カメラ装置に送信する送信手段とを具備し、
前記カメラ装置は、
前記情報発信装置の送信手段により送信された環境情報を受信して、前記撮影対象物の適切な撮影条件を計算する計算手段と、
この計算手段により計算された撮影条件の情報を表示する表示手段とを具備したことを特徴とする撮影システム。
【請求項３】
前記情報発信装置は、前記撮影対象物の位置情報を測定する位置測定手段を具備し、
前記中継装置は、前記測定された位置情報を入力して、前記撮影対象物と前記カメラ装置との相対位置に関する誘導情報を生成する誘導情報生成手段を具備し、
前記カメラ装置では、前記生成された誘導情報を前記表示手段に表示する
ことを特徴とする請求項１記載の撮影システム。
【請求項４】
前記情報発信装置は、前記撮影対象物の位置情報を測定する位置測定手段を具備し、
前記カメラ装置は、前記測定された位置情報を入力して、前記撮影対象物と前記カメラ装置との相対位置に関する誘導情報を生成する誘導情報生成手段を具備し、
前記カメラ装置では、前記生成された誘導情報を前記表示手段に表示する
ことを特徴とする請求項１または２記載の撮影システム。
【請求項５】
前記誘導情報生成手段は、前記カメラ装置による前記撮影対象物の適切な撮影タイミングまでの時間を前記誘導情報として生成することを特徴とする請求項３または４記載の撮影システム。
【請求項６】
前記誘導情報生成手段は、前記カメラ装置の現在位置から前記撮影対象物の適切な撮影位置への方向を前記誘導情報として生成することを特徴とする請求項４記載の撮影システム。
【請求項７】
前記カメラ装置は、
前記表示手段に表示された撮影条件に基づいて撮影動作を制御する制御手段を具備したことを特徴とする請求項１または２記載の撮影システム。
【請求項８】
前記情報発信装置は、
前記撮影対象物の固有情報を記憶する記憶手段と、
この記憶手段に記憶された固有情報を送信する固有情報送信手段とを具備し、
前記カメラ装置は、
前記情報発信装置の固有情報送信手段により送信された固有情報を受信して、これを表示する固有情報表示手段を具備したことを特徴とする請求項１または２記載の撮影システム。
【発明の詳細な説明】
【技術分野】
【０００１】
本発明は、例えばデジタルスチルカメラなどのカメラ装置を用いて、気象などの各条件下に適した撮影を行なうための撮影システムに関する。
【背景技術】
【０００２】
従来、例えばデジタルスチルカメラなどのカメラ装置では、「日中」、「夜間」、「雨天時」、「花火の撮影時」などの各シーンモードに対し、適切なシャッタ速度、絞り、ストロボ光量などの撮影条件を関連付けた上で、ユーザが撮影時の環境に応じたシーンモードを選択して、このシーンモードに関連付けられた撮影条件を自動的に設定するものがある。
【０００３】
また、例えば特許文献１に開示された手法では、各撮影画像に対し撮影条件を関連付けて記憶しておき、新たな撮影を行なう際に、過去に撮影した画像のなかから撮影時の環境に対応した画像を選択することで、この画像に関連付けられた撮影条件を読み出して自動的に設定する。
【特許文献１】特開２００２−１０１３４号公報
【発明の開示】
【発明が解決しようとする課題】
【０００４】
しかし、前述したように、シーンモードを選択して撮影条件を自動設定する手法では、適切なシーンモードを選択するための手間がかかってしまう。また、前記特許文献１に開示された手法では、撮影時の環境に合った画像がないと撮影条件を設定することができない。
【０００５】
そこで、本発明の目的は、ユーザによる面倒な操作を必要とせずに、撮影時の環境に応じた最適な撮影条件を簡単に得ることができる撮影システムを提供することにある。
【課題を解決するための手段】
【０００６】
請求項１記載の発明は、撮影対象物に対して設けられた情報発信装置およびこの情報発信装置から送信された情報を中継装置を介して受信するカメラ装置からなる撮影システムであって、前記情報発信装置は、前記撮影対象物に関わる環境情報を測定する測定手段と、この測定手段により測定された環境情報を送信する送信手段とを具備し、前記中継装置は、前記情報発信装置の送信手段により送信された環境情報を受信して、前記撮影対象物の適切な撮影条件を計算する計算手段と、この計算手段により計算された撮影条件の情報を前記カメラ装置に送信する送信手段とを具備し、前記カメラ装置は、前記中継装置の送信手段により送信された撮影条件の情報を受信して、これを表示する表示手段を具備したことを特徴とする。
【０００７】
請求項２記載の発明は、撮影対象物に対して設けられた情報発信装置およびこの情報発信装置から送信された情報を受信するカメラ装置からなる撮影システムであって、前記情報発信装置は、前記撮影対象物に関わる環境情報を測定する測定手段と、この測定手段により測定された環境情報を前記カメラ装置に送信する送信手段とを具備し、前記カメラ装置は、前記情報発信装置の送信手段により送信された環境情報を受信して、前記撮影対象物の適切な撮影条件を計算する計算手段と、この計算手段により計算された撮影条件の情報を表示する表示手段とを具備したことを特徴とする。
【０００８】
請求項３記載の発明は、前記請求項１に記載の発明において、前記情報発信装置は、前記撮影対象物の位置情報を測定する位置測定手段を具備し、前記中継装置は、前記測定された位置情報を入力して、前記撮影対象物と前記カメラ装置との相対位置に関する誘導情報を生成する誘導情報生成手段を具備し、前記カメラ装置では、前記生成された誘導情報を前記表示手段に表示することを特徴とする。
【０００９】
請求項４記載の発明は、前記請求項１または２に記載の発明において、前記情報発信装置は、前記撮影対象物の位置情報を測定する位置測定手段を具備し、前記カメラ装置は、前記測定された位置情報を入力して、前記撮影対象物と前記カメラ装置との相対位置に関する誘導情報を生成する誘導情報生成手段を具備し、前記カメラ装置では、前記生成された誘導情報を前記表示手段に表示することを特徴とする。
【００１０】
請求項５記載の発明は、前記請求項３または４に記載の発明において、前記誘導情報生成手段は、前記カメラ装置による前記撮影対象物の適切な撮影タイミングまでの時間を前記誘導情報として生成することを特徴とする。
【００１１】
請求項６記載の発明は、前記請求項４に記載の発明において、前記誘導情報生成手段は、前記カメラ装置の現在位置から前記撮影対象物の適切な撮影位置への方向を前記誘導情報として生成することを特徴とする。
【００１２】
請求項７記載の発明は、前記請求項１または２に記載の発明において、前記カメラ装置は、前記表示手段に表示された撮影条件に基づいて撮影動作を制御する制御手段を具備したことを特徴とする。
【００１３】
請求項８記載の発明は、前記請求項１または２に記載の発明において、前記情報発信装置は、前記撮影対象物の固有情報を記憶する記憶手段と、この記憶手段に記憶された固有情報を送信する固有情報送信手段とを具備し、前記カメラ装置は、前記情報発信装置の固有情報送信手段により送信された固有情報を受信して、これを表示する固有情報表示手段を具備したことを特徴とする。
【発明の効果】
【００１４】
請求項１記載の発明によれば、中継装置により、撮影対象物に関わる環境情報に基づいて、該撮影対象物の適切な撮影条件が計算されてカメラ装置に送信される構成としたので、ユーザによる面倒な操作を必要とせずに、環境に応じた撮影条件を簡単に得ることができる。
【００１５】
請求項２記載の発明によれば、カメラ装置により、撮影対象物に関わる環境情報に基づいて、該撮影対象物の適切な撮影条件が計算されて表示される構成としたので、ユーザによる面倒な操作を必要とせずに、環境に応じた撮影条件を簡単に得ることができる。
【００１６】
請求項３記載の発明によれば、前記請求項１に記載の発明の効果に加えて、中継装置において、撮影対象物とカメラ装置との相対位置に関する誘導情報を生成することができる。
【００１７】
請求項４記載の発明によれば、前記請求項１または２に記載の発明の効果に加えて、カメラ装置において、撮影対象物とカメラ装置との相対位置に関する誘導情報を生成することができる。
【００１８】
請求項５記載の発明によれば、前記請求項３または４に記載の発明の効果に加えて、カメラ装置による撮影対象物の適切な撮影タイミングまでの時間を誘導情報として表示することができる。
【００１９】
請求項６記載の発明によれば、前記請求項４に記載の発明の効果に加えて、カメラ装置の現在位置から撮影対象物の適切な撮影位置への方向を誘導情報として表示することができる。
【００２０】
請求項７記載の発明によれば、前記請求項１または２に記載の発明の効果に加えて、カメラ装置は、表示手段に表示された撮影条件に基づいて撮影動作を制御するので、ユーザは撮影条件にしたがった撮影を行なうためにカメラ装置側で面倒な操作を行なう必要がなくなる。
【００２１】
請求項８記載の発明によれば、前記請求項１または２に記載の発明の効果に加えて、ユーザは、撮影対象物の固有情報を容易に知ることができる。
【発明を実施するための最良の形態】
【００２２】
以下図面により本発明の実施形態について説明する。  
（第１の実施形態）
まず、本発明の第１の実施形態について説明する。  
図１は、本発明の第１の実施形態にしたがった撮影システムの構成の一例を示す図である。  
この撮影システムは、例えば遊園地のパレード会場において適用されるものであり、情報発信装置１、中継装置２、デジタルスチルカメラ（以下、デジタルカメラと称する）３からなる。
【００２３】
情報発信装置１は、例えば通路５に沿って移動する撮影対象物４に取り付けられており、該撮影対象物４の周囲の環境情報（温度、湿度、光量）を測定して、この環境情報のデータを無線通信などにより中継装置２に送信する機能を有する。
【００２４】
中継装置２は通路５の近傍に設置される。また、中継装置２は、この中継装置２から所定の範囲内に位置する情報発信装置１から送信された環境情報のデータを受信し、このデータに基づいて、中継装置２から所定の範囲内においてユーザが手にしているデジタルカメラ３が撮影対象物４を撮影するのに適した撮影条件（例えばシャッタ速度、絞り、ストロボ光量、ホワイトバランス）を計算して、この撮影条件のデータを無線通信などによりデジタルカメラ３に送信する機能を有する。
【００２５】
デジタルカメラ３の前面側には撮影レンズ６およびストロボ発光部７が設けられ、上面側にはシャッタキー８が設けられる。撮影レンズ６は、レンズ光学系３２（図４参照）が鏡筒に納められて突出形成される。シャッタキー８は、基本モードである記録モード時に撮影タイミングで押圧操作することにより撮影を指示する。ストロボ発光部７は、撮影時に撮影レンズ６の撮影範囲をカバーするべくストロボ光を照射する。
【００２６】
また、デジタルカメラ３は、中継装置２から送信された撮影条件のデータを受信して、これをモニタ表示する機能を有し、また、このモニタ表示された撮影条件に基づいた撮影動作を行なえるようにレンズ光学系３２などの各部を自動的に制御する機能を有する。
【００２７】
また、デジタルカメラ３の背面側には表示部９（図６参照）が設けられる。この表示部９は、バックライト付きのカラーＴＦＴ液晶パネルで構成され、撮影を行なう記録モードではその時点に撮影している撮影対象物の像をモニタ表示する一方で、再生モードでは記録した画像を表示出力する。
【００２８】
デジタルカメラ３は、中継装置２から撮影条件のデータを受信してからの制御モードとして、全自動モード、表示モード、非表示モードを備え、ユーザはこれらの制御モードのなかから所望のモードを選択設定する。全自動モードは、中継装置２から送信された撮影条件に基づいてレンズ光学系３２などを制御することでデジタルカメラ３のシャッタ速度、絞り、ストロボ光量、ホワイトバランスを自動的に設定するモードである。
【００２９】
表示モードは、中継装置２から送信された撮影条件の各項目を表示部９に表示するモードである。ユーザは、この表示された各項目を参照して、デジタルカメラ３のシャッタスピードや絞りなどをキー入力部４７（図４参照）の操作により設定する。非表示モードは、表示モードのような撮影条件の表示を行なわず、また、全自動モードのような撮影条件の自動設定も行なわないモードである。
【００３０】
図２は、図１で示した情報発信装置１の内部構成を示す図である。  
情報発信装置１は、該情報発信装置１の周囲の温度を逐次測定する温度センサ１１、周囲の湿度を逐次測定する湿度センサ１２、周囲の光量を逐次測定する光量センサ１３、現在位置を逐次測定するＧＰＳ（Ｇｌｏｂａｌ  Ｐｏｓｉｔｉｏｎｉｎｇ  Ｓｙｓｔｅｍ）アンテナ１４、制御部１５、メモリ１６、通信インタフェース１７を備える。
【００３１】
制御部１５は、温度センサ１１、湿度センサ１２、光量センサ１３による測定結果である環境情報のデータ、およびＧＰＳアンテナ１４による測定結果である位置データを中継装置２に送信する際の制御を司る。メモリ１６には、制御部１５が前述した測定結果のデータの送信制御を行なうためのシステムプログラムが記憶される。
【００３２】
通信インタフェース１７は、制御部１５により送信されるデータ、つまり、温度センサ１１、湿度センサ１２、光量センサ１３、ＧＰＳアンテナ１４による測定結果のデータを一定時間間隔で中継装置２に送信する。
【００３３】
図３は、図１で示した中継装置２の内部構成を示す図である。  
中継装置２は、制御部２１、ＲＯＭ２２、ＲＡＭ２３、通信インタフェース２４を備える。制御部２１は、情報発信装置１からのデータの受信、この受信したデータに基づいた撮影条件の計算、および、計算した撮影条件のデータをデジタルカメラ３に送信する制御を司る。
【００３４】
ＲＯＭ２２には、制御部２１が前述した受信及び送信の制御を行なうためのシステムプログラムが記憶される。ＲＡＭ２３は、前述した撮影条件を計算するためのワークメモリとして使用される。通信インタフェース２４は、情報発信装置１からのデータを受信し、また、情報発信装置１からのデータに基づいて制御部２１により計算された撮影条件のデータをデジタルカメラ３に送信する。
【００３５】
図４は、図１で示したデジタルカメラ３の内部構成を示す図である。同図で、基本モードである記録モードにおいては、モータ（Ｍ）３１の駆動により合焦位置や絞り位置が移動される、撮影レンズ６を構成するレンズ光学系３２の撮影光軸後方に配置された撮像素子であるＣＣＤ３３が、タイミング発生器（ＴＧ）３４、垂直ドライバ３５によって走査駆動され、一定周期毎に結像した光像に対応する光電変換出力を１画面分出力する。
【００３６】
この光電変換出力は、アナログ値の信号の状態でＲＧＢの各原色成分毎に適宜ゲイン調整された後に、サンプルホールド回路（Ｓ／Ｈ）３６でサンプルホールドされ、Ａ／Ｄ変換器３７でデジタルデータに変換され、カラープロセス回路３８で画素補間処理およびγ補正処理を含むカラープロセス処理が行なわれて、デジタル値の輝度信号Ｙおよび色差信号Ｃｂ，Ｃｒが生成され、ＤＭＡ（Ｄｉｒｅｃｔ  Ｍｅｍｏｒｙ  Ａｃｃｅｓｓ）コントローラ３９に出力される。
【００３７】
ＤＭＡコントローラ３９は、カラープロセス回路３８の出力する輝度信号Ｙおよび色差信号Ｃｂ，Ｃｒを、同じくカラープロセス回路３８からの複合同期信号、メモリ書込みイネーブル信号、およびクロック信号を用いて一度ＤＭＡコントローラ３９内部のバッファに書込み、ＤＲＡＭインタフェース（Ｉ／Ｆ）４０を介してバッファメモリとして使用されるＤＲＡＭ４１にＤＭＡ転送を行なう。
【００３８】
制御部４２は、ＣＰＵと、該ＣＰＵで実行される動作プログラムを固定的に記憶したＲＯＭ、およびワークメモリとして使用されるＲＡＭ等により構成され、デジタルカメラ３全体の制御動作を司るもので、輝度および色差信号のＤＲＡＭ４１へのＤＭＡ転送終了後に、この輝度および色差信号をＤＲＡＭインタフェース４０を介してＤＲＡＭ４１より読出し、ＶＲＡＭコントローラ４３を介してＶＲＡＭ４４に書込む。
【００３９】
デジタルビデオエンコーダ４５は、輝度および色差信号をＶＲＡＭコントローラ４３を介してＶＲＡＭ４４より定期的に読出し、これらのデータを元にビデオ信号を発生して表示部９に出力する。
【００４０】
この表示部９は、前述した如く記録モード時にはモニタ表示部（電子ファインダ）として機能するもので、デジタルビデオエンコーダ４５からのビデオ信号に基づいた表示を行なうことで、その時点でＶＲＡＭコントローラ４３から取込んでいる画像情報に基づく画像をリアルタイムに表示することとなる。
【００４１】
このように表示部９にその時点での画像がモニタ画像としてリアルタイムに表示されている状態で、静止画撮影を行ないたいタイミングでキー入力部４７を構成するシャッタキー８を操作すると、トリガ信号を発生する。
【００４２】
制御部４２は、このトリガ信号に応じてその時点でＣＣＤ３３から取込んでいる１画面分の輝度および色差信号のＤＲＡＭ４１へのＤＭＡ転送の終了後、直ちにＣＣＤ３３からのＤＲＡＭ４１への経路を停止し、記録保存の状態に遷移する。
【００４３】
この記録保存の状態では、制御部４２がＤＲＡＭ４１に書込まれている１フレーム分の輝度および色差信号をＤＲＡＭインタフェース４０を介してＹ，Ｃｂ，Ｃｒの各コンポーネント毎に縦８画素×横８画素の基本ブロックと呼称される単位で読出して画像圧縮回路４９に書込み、この画像圧縮回路４９でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４４】
そして、得た符号データを１画像のデータファイルとして該画像圧縮回路５７から読出し、メモリ５０に書込む。メモリ５０は、デジタルカメラ３の記録媒体として着脱自在に装着されるメモリカードであってもよいし、またはデジタルカメラ３に固定的に内蔵される内蔵メモリであってもよい。
【００４５】
そして、１フレーム分の輝度および色差信号の圧縮処理およびメモリ５０への全圧縮データの書込み終了に伴って、制御部４２はＣＣＤ３３からＤＲＡＭ４１への経路を再び起動する。
【００４６】
また、制御部４２は、さらに、音声処理部５１、通信インタフェース（Ｉ／Ｆ）５２、およびストロボ駆動部５３と接続される。音声処理部５１は、ＰＣＭ音源等の音源回路を備え、音声の録音時にはマイクロホン（ＭＩＣ）５４より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリ５０へ送出する一方、音声の再生時にはメモリ５０から送られてきた音声データファイルの圧縮を解いてアナログ化し、スピーカ（ＳＰ）５５を駆動して、拡声放音させる。
【００４７】
通信インタフェース５２は、中継装置２から送られる撮影条件のデータを受信する際の通信制御を行なう。ストロボ駆動部５３は、静止画像撮影時に図示しないストロボ用の大容量コンデンサを充電した上で、制御部４２からの制御に基づいてストロボ発光部７を閃光駆動する。
【００４８】
なお、キー入力部４７は、シャッタキー８の他に、各種モードメニュー項目等を表示させるために操作するメニューキー６１、複数のメニュー項目から１つを選択するために操作するカーソルキー６２、このカーソルキー６２の操作により選択したメニュー項目の確定を指示するために操作するセットキー６３を含む。これらのキー操作に伴う信号は直接制御部４２へ送出される。
【００４９】
しかるに、静止画像ではなく動画像の撮影時においては、キー入力部４７のシャッタキー８が操作され続けている間、静止画像データを画像圧縮回路４９でデータ圧縮した静止画データファイルのメモリ５０への記録を時間的に連続して実行し、該シャッタキー８の操作が終わるか、または所定の制限時間、例えば３０秒が経過した時点でそれら一連の静止画データファイルを一括してモーションＪＰＥＧなどのデータファイルとして設定し直す。
【００５０】
また、基本モードである再生モード時には、制御部４２がメモリ５０に記録されている画像データを選択的に読出し、画像圧縮回路４９で撮影モード時にデータ圧縮した手順と全く逆の手順で圧縮されている画像データを伸長し、伸長した画像データをＤＲＡＭインタフェース４０を介してＤＲＡＭ４１に保持させた上で、このＤＲＡＭ４１の保持内容をＶＲＡＭコントローラ４３を介してＶＲＡＭ４４に記憶させ、このＶＲＡＭ４４より定期的に画像データを読出してビデオ信号を発生し、表示部９で再生出力させる。
【００５１】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００５２】
また、制御部４２はＧＰＳアンテナ５６と接続されており、このＧＰＳアンテナ５６はデジタルカメラ３の現在位置を逐次測定する。なお、図示はしないがこのデジタルカメラ３は当然ながら電池駆動で動作するもので、図示しないクレイドル装置に載置することで充電される充電池を有しているものとする。
【００５３】
次に、本システムの動作について説明する。  
図５は、図１に示した撮影システムの処理動作を示すフローチャートである。図５（ａ）は情報発信装置１、同図（ｂ）は中継装置２、同図（ｃ）はデジタルカメラ３の処理を示している。
【００５４】
まず、情報発信装置１において、温度センサ１１で温度、湿度センサ１２で湿度、光量センサ１３で光量、ＧＰＳアンテナ１４で現在位置のデータがそれぞれ所定時間間隔で測定される（ステップＡ１）。これら測定されたデータは制御部１５に送られ、制御部１５は、これら送られたデータを通信インタフェース１７を介して中継装置２に送信する（ステップＡ２）。
【００５５】
中継装置２では、ステップＡ２の処理により情報発信装置１から送信されたデータを通信インタフェース２４により受信する（ステップＢ１）。制御部２１は、通信インタフェース２４が受信したデータに含まれる、温度、湿度、光量に基づいて、ステップＡ１の処理によるデータの送信元の情報発信装置１にとともに設けられる撮影対象物４の適切な撮影条件の各項目を計算する（ステップＢ２）。
【００５６】
また、制御部２１は、前述した撮影条件の他に、デジタルカメラ３による撮影対象物４の撮影に最適な撮影位置を計算する機能を有している。つまり、制御部２１は、通信インタフェース２４が受信したデータに含まれる、情報発信装置１の現在位置のデータに基づいて、中継装置２と通信可能な範囲内にあるデジタルカメラ３の最適な位置を計算する（ステップＢ３）。この最適位置とは、ユーザがデジタルカメラ３を持った際に、撮影対象物４が該デジタルカメラ３の撮影範囲における中央の位置である。制御部２１は、ステップＢ２およびＢ３の処理で計算したデータを、通信インタフェース２４を介してデジタルカメラ３に送信する（ステップＢ４）。
【００５７】
デジタルカメラ３では、ステップＢ４の処理により中継装置２から送信されたデータを通信インタフェース５２により受信する（ステップＣ１）。なお、前述した制御モードのうち、全自動モードまたは表示モードがキー入力部４７の操作により設定されていると仮定する。制御モードの情報はメモリ５０に記憶される。
【００５８】
次に、制御部４２は、ステップＣ１の処理で受信したデータに含まれる、シャッタ速度、絞り、ストロボ光量のデータが表示部９に表示されるように各部を制御する（ステップＣ２）。  
そして、制御部４２は、メモリ５０を参照して、現在設定されている制御モードが全自動モードであるか表示モードであるかを検出する（ステップＣ３）。
【００５９】
ステップＣ３による検出の結果、制御モードが全自動モードに設定されていると検出された場合には、制御部４２は、モータ３１の駆動を制御して、撮影時のシャッタ速度、絞りをステップＣ１の処理で受信したデータで示されたシャッタ速度、絞りと対応させる。制御部４２は、さらに、ストロボ駆動部５３を制御して、撮影時のストロボ発光部７からのストロボ光量をステップＣ１で受信したデータで示されるストロボ光量と対応させ、また、カラープロセス回路３８を制御して、撮影時の画像のホワイトバランスをステップＣ１の処理で受信したデータで示されるホワイトバランスと対応させる（ステップＣ４）。
【００６０】
ステップＣ３の処理により現在の制御モードが表示モードに設定されていると検出された際（ステップＣ３のＮＯ）、またはステップＣ４の処理が終了した際には、制御部４２は、前述したシャッタ速度、絞り、ストロボ光量のデータを表示部９に表示させた状態で、ＧＰＳアンテナ５６が測定した、デジタルカメラ３の現在位置のデータ、および、ステップＣ１の処理で受信したデータに含まれる、デジタルカメラ３の最適位置のデータを比較する。
【００６１】
この比較により、デジタルカメラ３の現在位置が最適位置に対して右に位置するならば、制御部４２は、デジタルカメラ３を左に移動させる旨を示す位置誘導メッセージ（図６参照）が表示部９に表示されるよう各部を制御する。また、デジタルカメラ３の現在位置が最適位置に対して左に位置するならば、制御部４２は、デジタルカメラ３を右に移動させる旨を示す位置誘導メッセージが表示部９に表示されるよう各部を制御する（ステップＣ５）。これにより、ユーザは、デジタルカメラ３を持って現在立っている位置から、撮影対象物４の撮影に最適な位置への方向を、モニタ画面を見るだけで把握することができる。
【００６２】
そして、デジタルカメラ３の最適位置と現在位置とが一致した際には（ステップＣ６のＹＥＳ）、ステップＣ５の処理で表示部９に表示した位置誘導メッセージの表示を終了する（ステップＣ７）。
【００６３】
以上、前記実施の形態において説明した撮影システムによれば、撮影対象物４に関わる環境情報に基づいて該撮影対象物４の適切な撮影条件が計算されてデジタルカメラ３側に表示されるので、ユーザは、温度や光量などの環境を意識しなくとも、撮影対象物４に対する適切な撮影条件を知ることができる。また、制御モードを全自動モードに設定している場合には、表示部９に表示された撮影条件に基づいてデジタルカメラ３の撮影動作が制御されるので、ユーザがデジタルカメラ３により面倒な操作を行なうことなく、撮影対象物の適切な撮影を行なうことができる。
【００６４】
加えて、撮影対象物４を撮影する際のデジタルカメラ３の最適位置にユーザを誘導するメッセージを表示部９に表示させるので、ユーザは撮影対象物４を撮影するための最適なポジションに移動できる。なお前述したステップＢ２およびＢ３における、撮影条件と最適位置の計算は、デジタルカメラ３の制御部４２により行なってもよい。
【００６５】
次に、前述した撮影システムの第１の変形例について図７を参照しながら説明する。  
この変形例では、情報発信装置１を取り付けた撮影対象物４が複数あり、それぞれが通路５に沿って矢印Ａの方向に沿って移動している。この撮影システムの各々の中継装置２は、複数の撮影対象物４にそれぞれ取り付けられた情報発信装置１のうちいずれか１つ、例えば、該中継装置２から所定の範囲内にあるデジタルカメラ３の撮影範囲外から撮影範囲内に向かって移動しており、かつ中継装置２の最も近くに位置する撮影対象物４に取り付けられた情報発信装置１から送信された環境情報に基づいて、適切な撮影条件を計算する。
【００６６】
各中継装置２では、該中継装置２の位置を示すデータ、および中継装置２から所定範囲内のデジタルカメラ３の撮影範囲データをＲＯＭ２２に記憶している。中継装置２では、複数の情報発信装置１のうち、デジタルカメラ３の撮影範囲外から撮影範囲内に向かって移動し、かつ中継装置２の最も近くに位置する情報発信装置１を判別するため、該中継装置２から所定の範囲内でデジタルカメラ３の撮影範囲外にあるそれぞれの情報発信装置１から送信された現在位置データを所定時間間隔で受信し、かつ、ＲＯＭ２２から中継装置２の位置データを読み出して両者を比較する。この比較により中継装置２と各々の情報発信装置１との距離を所定時間間隔で計算する。
【００６７】
この計算結果に基づいて、中継装置２の周囲に位置する情報発信装置１のうち、時間経過にともなって中継装置２との距離が短くなり、かつ、デジタルカメラ３の撮影範囲外において中継装置２の最も近くに位置する情報発信装置１を、デジタルカメラ３の撮影範囲外から撮影範囲内に向かって移動し、かつ、中継装置２の最も近くに位置する情報発信装置１として判別する。そして、この情報発信装置１から送信された環境情報に基づいて、該情報発信装置１が取り付けられた撮影対象物４の撮影条件を計算し、以降は図１に示した撮影システムと同様の処理を行なう。
【００６８】
この撮影システムは、前述した撮影条件の他に、前述したシャッタ速度、絞り、ストロボ光量の他に、撮影対象物４の撮影におけるデジタルカメラ３による最適な撮影タイミング、つまりデジタルカメラ３の撮影範囲外に位置する撮影対象物４が撮影範囲内に移動するまでの残り時間を計算し、これを示す誘導メッセージ（図８参照）をデジタルカメラ３の表示部９に表示する機能を有する。中継装置２がデジタルカメラ３と通信できる範囲はそれぞれの中継装置２の間で重なり合わないものとする。
【００６９】
撮影タイミングを計算するため、中継装置２では、前述のようにデジタルカメラ３の撮影範囲外から撮影範囲内に向かって移動しており、かつ中継装置２の最も近くに位置すると判別した情報発信装置１から送信された現在位置データと、該中継装置２の、予めＲＯＭ２２に記憶された位置データを所定時間間隔で比較する。中継装置２は、この比較により情報発信装置１が取り付けられた撮影対象物４の単位時間あたりの移動距離を計算して、撮影対象物４の移動速度を計算する。
【００７０】
そして、中継装置２は、撮影対象物４の移動速度、および、中継装置２自身の位置と情報発信装置１の現在位置との間の距離に基づいて、撮影対象物４が、該撮影対象物４の現在位置からデジタルカメラ３の撮影範囲内に移動するまでの時間を計算し、これを示す誘導メッセージをデジタルカメラ３に送信し、デジタルカメラ３は、これを表示部９に表示する。これにより、ユーザは、デジタルカメラ３の撮影範囲内に向かって移動してくる撮影対象物４の撮影タイミングを容易に知ることができる。なお、中継装置２による撮影タイミングの計算は、ユーザが持っているデジタルカメラ３が中継装置２から所定の範囲内で静止しているものとして行なう。
【００７１】
前述した撮影タイミングの計算は、中継装置２に代わってデジタルカメラ３の制御部４２で行なってもよい。この場合、制御部４２は、情報発信装置１からの現在位置データと、ＧＰＳアンテナ５６が測定したデジタルカメラ３の現在位置データを所定時間間隔で比較して、前述のように移動速度の計算などを行なうことで誘導メッセージを生成する。
【００７２】
次に、前述した撮影システムの第２の変形例について図９を参照しながら説明する。  
この変形例における撮影対象物４ａは固定構造物である。よって、情報発信装置１を撮影対象物４ａに直接取り付けずとも、図９に示すように、その近辺に設置してよい。
【００７３】
また、図１で示した撮影対象物４と異なり、撮影対象物４ａの位置は変化しないので、情報発信装置１は図２で示した形態と異なりＧＰＳアンテナ１４を設けない。具体的には、撮影対象物４ａの位置データは固定情報としてメモリ１６に記憶される。そして、制御部１５は、メモリ１６に記憶された位置データを読み出し、この位置データが通信インタフェース１７を介して中継装置２に送信されるように制御する。そして、デジタルカメラ３では、前述した位置誘導メッセージの表示を行なう。
【００７４】
また、この変形例における情報発信装置１のメモリ１６には、前述した位置データに加えて、撮影対象物４ａの固有情報が記憶される。撮影対象物４ａの固有情報とは、例えば、撮影対象物４ａが建造物であるならば、建造年月日、名称とその由来などである。
【００７５】
情報発信装置１は、温度センサ１１、湿度センサ１２、光量センサ１３により測定されたデータを送信するとともに、メモリ１６に記憶される情報である、撮影対象物４ａの固有情報を読み出し、これを中継装置２を介してデジタルカメラ３に送信する。デジタルカメラ３は、中継装置２から受信した、撮影対象物４ａの固有情報を表示部９に表示する。これにより、ユーザはデジタルカメラ３を持って撮影対象物４ａの近くに移動するだけで、該撮影対象物４ａの名称やその由来などを知ることができる。
【００７６】
また、デジタルカメラ３では、撮影時において、撮影対象物４ａの固有情報を撮影対象物４ａの画像と関連付けてメモリ５０に記録することができる。これにより、ユーザは、撮影対象物４ａと関連した固有情報を該撮影対象物４ａの画像の再生時にも知ることができる。なお、情報発信装置１から送信された撮影対象物４ａの固有情報を中継装置２を介さずにデジタルカメラ３で直接受信する構成としてもよい。
【００７７】
前述した、撮影対象物４ａの固有情報の表示に関する機能は、図１および図７に示した各形態の撮影システムに適用することができるのはもちろんである。特に、図７に示したシステムで適用する場合には、例えば撮影対象物４が動物であるならば、名前、種別などのデータを、該撮影対象物４に取り付けられた情報発信装置１のメモリ１６に記憶し、中継装置２において、複数の撮影対象物４から受信した固有情報のうち、デジタルカメラ３の撮影範囲外から撮影範囲内に向かって移動しており、中継装置２の最も近くに位置する撮影対象物４の固有情報をデジタルカメラ３に送信するように制御すれば、ユーザは、デジタルカメラ３の撮影範囲に近づいてくる最も近い撮影対象物４の固有情報を常に知ることができる。
【００７８】
また、情報発信装置１が中継装置２を介してデジタルカメラ３に送信する固有情報は、名称などの文字情報に限らず、例えば音声情報であってもよい。具体的には、例えば撮影対象物４が動物である場合に、この動物の鳴き声を示す音声データファイルを情報発信装置１のメモリ１６に記憶しておき、これを、中継装置２を介してデジタルカメラ３に送信し、デジタルカメラ３では、中継装置２から受信した音声データファイルの圧縮を解いてスピーカ５５により拡声放音させる。
【００７９】
また、図１、図７および図９に示した撮影システムの中継装置２の周囲が混雑しており、デジタルカメラ３を持ったユーザが現在立っている位置から移動することが困難であることが予想される場合に、デジタルカメラ３では、前述した位置誘導メッセージを表示部９に表示させないように制御することができる。
【００８０】
つまり、デジタルカメラ３は、使用中であることを示す制御信号を常時送信しており、中継装置２は、この送信された制御信号に基づいて、周囲のデジタルカメラ３の台数を計算し、この計算した台数のデータを、通信範囲内に位置するデジタルカメラ３に送信する。デジタルカメラ３では、中継装置２から受信した、デジタルカメラ３の台数のデータに基づいて、デジタルカメラ３の台数が一定台数以上であると判別した場合には、位置誘導メッセージを表示部９に表示しないように制御する。
【００８１】
（第２の実施形態）
次に、本発明の第２の実施形態について図１０を参照して説明する。なお、第２の実施形態に係る撮影システムの構成は、図１に示したものと基本的にほぼ同様であるので、同一部分には同一符号を付して、その図示および説明は省略するものとする。
【００８２】
この撮影システムは、第１の実施形態にしたがった撮影システムで用いていた中継装置２を設けない。つまり、中継装置２が行なっていた撮影条件および最適位置の計算をデジタルカメラ３が行なうようにする。この計算のためのシステムプログラムは制御部４２に記憶される。
【００８３】
この撮影システムの処理動作を、図１１に示すフローチャートを参照して説明する。図１１（ａ）は情報発信装置１、同図（ｂ）はデジタルカメラ３の処理を示している。
【００８４】
まず、情報発信装置１は、図５に示したステップＡ１と同様の処理を行なう（ステップＤ１）。このステップＤ１の処理で測定されたデータは制御部１５に送られ、制御部１５は、この送られたデータを、通信インタフェース１７を介してデジタルカメラ３に送信する（ステップＤ２）。
【００８５】
デジタルカメラ３では、ステップＤ２の処理により情報発信装置１から送信されたデータを、通信インタフェース５２により受信する（ステップＥ１）。そして、制御部４２は、通信インタフェース５２が受信したデータに含まれる、温度、湿度、光量に基づいて、撮影対象物４の適切な撮影条件を計算する（ステップＥ２）。
【００８６】
また、制御部４２は、通信インタフェース５２が受信したデータに含まれる、情報発信装置１の現在位置のデータに基づいて、デジタルカメラ３の最適な位置を計算する（ステップＥ３）。以後は、図５に示したステップＣ２〜Ｃ７と同様の処理を行なう（ステップＥ４〜Ｅ９）。
【００８７】
以上、詳述した実施の形態において説明した撮影システムによれば、第１の実施形態にしたがった撮影システムの中継装置２が行なっていた計算をデジタルカメラ３が行なうようにしたので、システムの構成が簡略化される。また、撮影対象物４が通る通路５の近傍に中継装置２を設けることが困難である場合にもシステムが構成できる。
【００８８】
次に、図１０に示した撮影システムの第１の変形例について図１２を参照しながら説明する。  
この変形例において、デジタルカメラ３は、複数の撮影対象物４のうち、デジタルカメラ３の撮影範囲外から撮影範囲内に向かって移動しており、かつデジタルカメラ３の最も近くに位置する情報発信装置１から受信した環境情報に基づいて適切な撮影条件を計算して、このモニタ表示および撮影動作の制御を行なうとともに、情報発信装置１からの現在位置データに基づいて、前述した位置誘導メッセージの表示を行なう。
【００８９】
また、デジタルカメラ３は、情報発信装置１からの現在位置データと、ＧＰＳアンテナ５６が測定したデジタルカメラ３の現在位置データを所定時間間隔で比較する。この比較により、撮影対象物４が、該撮影対象物４の現在位置からデジタルカメラ３の撮影範囲内に移動するまでの時間を計算し、これを表示部９に表示する。
【００９０】
次に、図１０に示した撮影システムの第２の変形例について図１３を参照しながら説明する。  
この変形例では、デジタルカメラ３は、撮影対象物４ａが取り付けられた情報発信装置１からの環境情報に基づいて適切な撮影条件を計算して、この計算した撮影条件のデータのモニタ表示、撮影動作の制御、位置誘導メッセージの表示を行なう。また、デジタルカメラ３は、情報発信装置１から送信された撮影対象物４ａの固有情報のデータを受信して表示部９に表示する。
【００９１】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９２】
【図１】本発明の第１の実施形態にしたがった撮影システムの構成の一例を示す図。
【図２】図１で示した情報発信装置の内部構成を示す図。
【図３】図１で示した中継装置の内部構成を示す図。
【図４】図１で示したデジタルカメラの内部構成を示す図。
【図５】図１に示した撮影システムの処理動作を示すフローチャート。
【図６】デジタルカメラの表示部に表示する位置誘導メッセージの一例を示す図。
【図７】図１に示した撮影システムの第１の変形例を示す図。
【図８】デジタルカメラの表示部に表示する撮影タイミングの誘導メッセージの一例を示す図。
【図９】図１に示した撮影システムの第２の変形例を示す図。
【図１０】本発明の第２の実施形態にしたがった撮影システムの構成の一例を示す図。
【図１１】図１０に示した撮影システムの処理動作を示すフローチャート。
【図１２】図１０に示した撮影システムの第１の変形例を示す図。
【図１３】図１０に示した撮影システムの第２の変形例を示す図。
【符号の説明】
【００９３】
１…情報発信装置、２…中継装置、３…デジタルスチルカメラ、４，４ａ…撮影対象物、５…通路、６…撮影レンズ、７…ストロボ発光部、８…シャッタキー、９…表示部、１１…温度センサ、１２…湿度センサ、１３…光量センサ、１４…ＧＰＳ（Ｇｌｏｂａｌ  Ｐｏｓｉｔｉｏｎｉｎｇ  Ｓｙｓｔｅｍ）アンテナ、１５…制御部、１６…メモリ、１７…通信インタフェース、２１…制御部、２２…ＲＯＭ、２３…ＲＡＭ、２４…通信インタフェース、３１…モータ（Ｍ）、３２…レンズ光学系、３３…ＣＣＤ、３４…タイミング発生器（ＴＧ）、３５…垂直ドライバ、３６…サンプルホールド回路（Ｓ／Ｈ）、３７…Ａ／Ｄ変換器、３８…カラープロセス回路、３９…ＤＭＡ（Ｄｉｒｅｃｔ  Ｍｅｍｏｒｙ  Ａｃｃｅｓｓ）コントローラ、４０…ＤＲＡＭインタフェース（Ｉ／Ｆ）、４１…ＤＲＡＭ、４２…制御部、４３…ＶＲＡＭコントローラ、４４…ＶＲＡＭ、４５…デジタルビデオエンコーダ、４７…キー入力部、４９…画像圧縮回路、５０…メモリ、５１…音声処理部、５２…通信インタフェース（Ｉ／Ｆ）、５３…ストロボ駆動部、５４…マイクロホン（ＭＩＣ）、５５…スピーカ（ＳＰ）、５６…ＧＰＳアンテナ、６１…メニューキー、６２…カーソルキー、６３…セットキー。
【図１】
2005227492.tif 000003
【図２】
2005227492.tif 000004
【図３】
2005227492.tif 000005
【図４】
2005227492.tif 000006
【図５】
2005227492.tif 000007
【図６】
2005227492.tif 000008
【図７】
2005227492.tif 000009
【図８】
2005227492.tif 000010
【図９】
2005227492.tif 000011
【図１０】
2005227492.tif 000012
【図１１】
2005227492.tif 000013
【図１２】
2005227492.tif 000014
【図１３】
2005227492.tif 000015